【手続補正書】
【提出日】平成17年2月18日(2005.2.18)
【手続補正１】
【補正対象書類名】明細書
【補正対象項目名】発明の名称
【補正方法】変更
【補正の内容】
【発明の名称】通信装置
【手続補正２】
【補正対象書類名】明細書
【補正対象項目名】特許請求の範囲
【補正方法】変更
【補正の内容】
【特許請求の範囲】
【請求項１】
他の通信装置との通信が可能な第１のモードと、他の通信装置との通信が行えない第２のモードとを有する通信手段を有し、
前記第１のモードと第２のモードとを交互に切り替え、
前記第１のモードとなる期間を前記第２のモードとなる期間よりも長くすることを特徴とする通信装置。
【請求項２】
前記第１のモードとなる期間は、前記第２のモードとなる期間の２倍よりも長いことを特徴とする請求項１に記載の通信装置。
【請求項３】
前記第２のモードとなる期間に消費される電力は、前記第１のモードとなる期間に消費される電力よりも少ないことを特徴とする請求項１又は２に記載の通信装置。
【請求項４】
前記通信装置は、前記他の通信装置との通信が終了するまで、前記第１のモードとなる期間を継続させることを特徴とする請求項１乃至３の何れかに記載の通信装置。
【請求項５】
前記通信装置は、前記通信手段が前記第１のモードとなる期間と前記他の通信装置が前記第１のモードとなる期間とが重なるようにすることを特徴とする請求項１乃至４の何れかに記載の通信装置。
【請求項６】
前記通信装置は、前記通信手段と前記他の通信装置の通信手段とが前記第１のモードである場合に通信を開始することを特徴とする請求項１乃至５の何れかに記載の通信装置。
【請求項７】
前記通信手段は、ＩＥＥＥ１３９４規格に準拠したものであることを特徴とする請求項１乃至６の何れかに記載の通信装置。
【請求項８】
前記通信装置は、バッテリを用いて動作することを特徴とする請求項１乃至７の何れかに記載の通信装置。
【請求項９】
前記通信装置は、前記第１のモードとなる期間の長さを通信終了後の経過時間に応じて可変的に制御することを特徴とする請求項１乃至８の何れかに記載の通信装置。
【請求項１０】
撮像素子を用いて撮像を行う撮像手段をさらに有することを特徴とする請求項１乃至９の何れかに記載の通信装置。
【請求項１１】
他の通信装置との通信が可能な第１のモードと、他の通信装置との通信が行えない第２のモードとを有する通信手段を有し、
前記通信手段が前記第１のモードであるときは所定の電力を前記通信手段に供給し、
前記通信手段が前記第２のモードであるときは前記第１のモード前記第１のモードよりも少ない電力を前記通信手段に供給し、
前記第１のモードとなる期間を前記第２のモードとなる期間よりも長くすることを特徴とする通信装置。
【請求項１２】
前記第１のモードとなる期間は、前記第２のモードとなる期間の２倍よりも長いことを特徴とする請求項１１に記載の通信装置。
【請求項１３】
前記第２のモードとなる期間に消費される電力は、前記第１のモードとなる期間に消費される電力よりも少ないことを特徴とする請求項１１又は１２に記載の通信装置。
【請求項１４】
前記通信装置は、前記他の通信装置との通信が終了するまで、前記第１のモードとなる期間を継続させることを特徴とする請求項１１乃至１３の何れかに記載の通信装置。
【請求項１５】
前記通信装置は、前記通信手段が前記第１のモードとなる期間と前記他の通信装置の通信手段が前記第１のモードとなる期間とが重なるようにすることを特徴とする請求項１１乃至１４の何れかに記載の通信装置。
【請求項１６】
前記通信装置は、前記通信手段と前記他の通信装置の通信手段とが前記第１のモードである場合に通信を開始することを特徴とする請求項１１乃至１５の何れかに記載の通信装置。
【請求項１７】
前記通信手段は、ＩＥＥＥ１３９４規格に準拠したものであることを特徴とする請求項１１乃至１６の何れかに記載の通信装置。
【請求項１８】
前記通信装置は、バッテリを用いて動作することを特徴とする請求項１１乃至１７の何れかに記載の通信装置。
【請求項１９】
前記通信装置は、前記第１のモードとなる期間の長さを通信終了後の経過時間に応じて可変的に制御することを特徴とする請求項１１乃至１８の何れかに記載の通信装置。
【請求項２０】
撮像素子を用いて撮像を行う撮像手段をさらに有することを特徴とする請求項１１乃至１９の何れかに記載の通信装置。
【請求項２１】
他の通信装置との通信が可能な第１のモードと、前記他の通信装置との通信が行えない第２のモードとを有する通信手段を有し、
前記第１のモードとなる期間を前記第２のモードとなる期間よりも長くし、
前記通信手段が前記第１のモードとなる期間と前記他の通信装置が前記第１のモードとなる期間とが重なるようにすることを特徴とする通信装置。
【請求項２２】
前記第２のモードとなる期間に消費される電力は、前記第１のモードとなる期間に消費される電力よりも少ないことを特徴とする請求項２１に記載の通信装置。
【請求項２３】
前記第１のモードとなる期間は、前記第２のモードとなる期間の２倍よりも長いことを特徴とする請求項２１又は２２に記載の通信装置。
【請求項２４】
前記第２のモードとなる期間に消費される電力は、前記第１のモードとなる期間に消費される電力よりも少ないことを特徴とする請求項２１乃至２３の何れかに記載の通信装置。
【請求項２５】
前記通信装置は、前記他の通信装置との通信が終了するまで、前記第１のモードとなる期間を継続させることを特徴とする請求項２１乃至２４の何れかに記載の通信装置。
【請求項２６】
前記通信装置は、前記通信手段と前記他の通信装置の通信手段とが前記第１のモードである場合に通信を開始することを特徴とする請求項２１乃至２５の何れかに記載の通信装置。
【請求項２７】
前記通信手段は、ＩＥＥＥ１３９４規格に準拠したものであることを特徴とする請求項２１乃至２６の何れかに記載の通信装置。
【請求項２８】
前記通信装置は、バッテリを用いて動作することを特徴とする請求項２１乃至２７の何れかに記載の通信装置。
【請求項２９】
前記通信装置は、前記第１のモードとなる期間の長さを通信終了後の経過時間に応じて可変的に制御することを特徴とする請求項２１乃至２８の何れかに記載の通信装置。
【請求項３０】
撮像素子を用いて撮像を行う撮像手段をさらに有することを特徴とする請求項２１乃至２９の何れかに記載の通信装置。
【手続補正３】
【補正対象書類名】明細書
【補正対象項目名】０００１
【補正方法】変更
【補正の内容】
【０００１】
【発明の属する技術分野】
本発明は、通信装置に関する。
【手続補正４】
【補正対象書類名】明細書
【補正対象項目名】０００６
【補正方法】変更
【補正の内容】
【０００６】
そこで、本発明は、無駄な電力の消費を抑えるようにすることを目的とする。
【手続補正５】
【補正対象書類名】明細書
【補正対象項目名】０００７
【補正方法】変更
【補正の内容】
【０００７】
【課題を解決するための手段】
本発明に係る通信装置の一つは、例えば、他の通信装置との通信が可能な第１のモードと、他の通信装置との通信が行えない第２のモードとを有する通信手段を有し、前記第１のモードと第２のモードとを交互に切り替え、前記第１のモードとなる期間を前記第２のモードとなる期間よりも長くすることを特徴とする。
【手続補正６】
【補正対象書類名】明細書
【補正対象項目名】０００８
【補正方法】変更
【補正の内容】
【０００８】
本発明に係る通信装置の一つは、例えば、他の通信装置との通信が可能な第１のモードと、他の通信装置との通信が行えない第２のモードとを有する通信手段を有し、前記通信手段が前記第１のモードであるときは所定の電力を前記通信手段に供給し、前記通信手段が前記第２のモードであるときは前記第１のモード前記第１のモードよりも少ない電力を前記通信手段に供給し、前記第１のモードとなる期間を前記第２のモードとなる期間よりも長くすることを特徴とする。
【手続補正７】
【補正対象書類名】明細書
【補正対象項目名】０００９
【補正方法】変更
【補正の内容】
【０００９】
本発明に係る通信装置の一つは、例えば、他の通信装置との通信が可能な第１のモードと、前記他の通信装置との通信が行えない第２のモードとを有する通信手段を有し、前記第１のモードとなる期間を前記第２のモードとなる期間よりも長くし、前記通信手段が前記第１のモードとなる期間と前記他の通信装置が前記第１のモードとなる期間とが重なるようにすることを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
【発明の実施の形態】
以下、本発明の実施例について図面を用いて詳細に説明する。
【手続補正１５】
【補正対象書類名】明細書
【補正対象項目名】００７８
【補正方法】変更
【補正の内容】
【００７８】
【発明の効果】
本発明によれば、無駄な電力の消費を抑えることができる。
【手続補正１６】
【補正対象書類名】明細書
【補正対象項目名】００７９
【補正方法】削除
【補正の内容】